(57)【要約】【課題】  ユーザーがレンズシフト操作を行なう際に、シフト可動範囲と現在の投射領域のシフト位置との位置関係を把握することを可能にした投射型表示装置を提供すること。【解決手段】  本提案の投射型表示装置は、映像を投射する投射レンズと、前記映像の投射位置を水平・垂直方向にシフトさせるレンズシフト機構と、前記投射位置のシフト量を計算するシフト量計算部と、前記投射位置のシフト可動範囲を計算するシフト可動範囲計算部と、前記シフト量計算部から取得した前記シフト量と前記シフト可動範囲計算部から取得したシフト可動範囲情報に基づいて、前記投射位置のシフト状態を模式化したシフトガイドを作成するシフトガイド作成部と、前記シフトガイド作成部から取得するシフトガイドと入力映像信号とを合成し映像を表示する映像表示部を備えることを特徴とする構成とした。【選択図】  図１
2013109185.tif 000002
【特許請求の範囲】
【請求項１】
映像を投射する投射レンズと、前記映像の投射位置を水平・垂直方向にシフトさせるレンズシフト機構と、前記投射位置のシフト量を計算するシフト量計算部と、前記投射位置のシフト可動範囲を計算するシフト可動範囲計算部と、前記シフト量計算部から取得した前記シフト量と前記シフト可動範囲計算部から取得したシフト可動範囲情報に基づいて、前記投射位置のシフト状態を模式化したシフトガイドを作成するシフトガイド作成部と、前記シフトガイド作成部から取得するシフトガイドと入力映像信号とを合成し映像を表示する映像表示部を備えることを特徴とする投射型表示装置。
【請求項２】
前記投射位置のシフトに連動して前記シフト量計算部から取得したシフト量に基づいて、前記シフトガイド作成部から取得した前記シフトガイドの表示位置を制御するガイド位置制御部を備え、前記ガイド位置制御部から取得したガイド表示位置情報に基づいて前記シフトガイドと入力映像信号とを合成し映像を表示する映像表示部を備えることを特徴とする請求項１に記載の投射型表示装置。
【請求項３】
前記シフトガイドは常に光軸上にある投射領域の位置を示す投射領域位置ガイドと、シフトが行われていない場合の前記投射領域の位置を示すシフト基準位置ガイドから構成され、前記投射領域位置ガイドまたは前記シフト基準位置ガイドを、前記ガイド位置制御部から取得した前記ガイド表示位置情報に基づいて入力映像信号と合成する前記映像表示部を備えることを特徴とする請求項１または請求項２に記載の投射型表示装置。
【請求項４】
レンズの種類に基づいて異なるレンズ情報を保持するレンズ情報記憶部を備える前記投射レンズを交換可能な交換レンズ機構を備え、前記レンズ情報記憶部から取得する前記レンズ情報に基づいて前記シフトガイドを作成する前記シフトガイド作成部を備えることを特徴とする請求項１乃至請求項３の何れか１項に記載の投射型表示装置。
【請求項５】
パネルの種類に基づいて異なるパネル情報を保持するパネル情報記憶部を備え、前記パネル情報記憶部から取得する前記パネル情報に基づいて前記シフトガイドを作成する前記シフトガイド作成部を備えることを特徴とする請求項１乃至請求項４の何れか１項に記載の投射型表示装置。
【請求項６】
種々の形状を模した前記シフトガイドパターンを記憶するシフトガイド記憶部と、前記シフトガイド記憶部から取得した前記シフトガイドパターンを用いて、前記シフトガイドを作成する前記シフトガイド作成部を備えることを特徴とした請求項１乃至請求項５の何れか１項に記載の投射型表示装置。
【請求項７】
レンズの種類に基づいて種々の形状を模した前記シフトガイドパターンを記憶する前記シフトガイド記憶部を備える前記投射レンズを交換可能な交換レンズ機構を備え、前記シフトガイド記憶部から前記シフトガイドパターンを取得し、前記シフトガイドを作成することを特徴とする請求項１乃至請求項６の何れか１項に記載の投射型表紙装置。
【請求項８】
前記投射領域位置ガイド、または前記シフト基準位置ガイドはシフト可動範囲を示すゲージ状のパターンであることを特徴とする請求項１乃至請求項７の何れか１項に記載の投射型表示装置。
【請求項９】
前記投射領域位置ガイド、または前記シフト基準位置ガイドはシフト可動範囲を縮小して表現されたものであることを特徴とする請求項１乃至請求項８の何れか１項に記載の投射型表示装置。
【請求項１０】
前記シフト基準位置情報は前記投射領域を越える範囲の大きさを持つことを特徴とする請求項１乃至請求項９の何れか１項に記載の投射型表示装置。
【発明の詳細な説明】
【技術分野】
【０００１】
本発明は、投射型表示装置に関し、特にレンズシフトに関するものである。
【背景技術】
【０００２】
プロジェクタ用交換レンズの種類、また本体パネルのサイズに依存してレンズシフトの可動範囲は変化するが、ユーザはレンズシフト操作を行う場合、そのシフト可動範囲を把握した操作をし難いという課題がある。
例えば、特許文献１において、シフト可動範囲を超える場合に警告を表示する手法が開示されている。
【先行技術文献】
【特許文献】
【０００３】
【特許文献１】特開２００１−２１５６１０号公報
【発明の概要】
【発明が解決しようとする課題】
【０００４】
しかしながら上述の特許文献１に開示された従来技術では、レンズシフト操作によりシフト可動範囲の限界位置へ投射位置が移動した場合に警告が表示されるばかりでシフト可動範囲における現在のシフト位置を把握できるわけではない。また、限界位置までレンズシフト操作を行なった場合に限界位置を初めて把握することが出来るが、工場初期化時のレンズシフト位置やレンズシフトの可動範囲を予め把握することはできない。
【０００５】
そこで本発明の目的は、ユーザーがレンズシフト操作を行なう際に、シフト可動範囲と現在の投射領域のシフト位置との位置関係を把握することを可能にした投射型表示装置を提供することである。
【課題を解決するための手段】
【０００６】
上記目的を達成するために、本発明における投射型表示装置は、
映像を投射する投射レンズと、前記映像の投射位置を水平・垂直方向にシフトさせるレンズシフト機構と、前記投射位置のシフト量を計算するシフト量計算部と、前記投射位置のシフト可動範囲を計算するシフト可動範囲計算部と、前記シフト量計算部から取得したシフト情報と前記シフト可動範囲計算部から取得したシフト可動範囲情報に基づいて、前記投射位置のシフト状態を模式化したシフトガイドを作成するシフトガイド作成部と、前記シフトガイド作成部から取得するシフトガイドと入力映像信号とを合成し映像を表示する映像表示部を備えることを特徴とする。
【発明の効果】
【０００７】
本発明によれば、シフト量計算部から算出された現状の投射位置のシフト情報と、シフト可動範囲計算部によって算出されたシフト可動範囲情報を用いてシフトガイドを作成しユーザーに示すことにより、ユーザーはシフト可動範囲において現状の投射領域の位置を確認しながらレンズシフト操作を行なうことができる。
【図面の簡単な説明】
【０００８】
【図１】実施例1における投射型表示装置の機能ブロック図
【図２】実施例１における投射型表示装置のシフトガイドを表示するまでのフローチャート
【図３】実施例２における投射型表示装置の機能ブロック図
【図４】実施例２における投射型表示装置のシフトガイドを表示するまでのフローチャート
【図５】実施例１、２における作成されたシフトガイドを説明する図
【図６】実施例１、２における作成されたシフトガイドを説明する図
【図７】実施例３における投射型表示装置の機能ブロック図
【図８】実施例３における投射型表示装置のシフトガイドを表示するまでのフローチャート
【図９】実施例３における作成されたシフトガイドを説明する図
【図１０】実施例３における作成されたシフトガイドを説明する図
【図１１】実施例３における作成されたシフトガイドを説明する図
【図１２】実施例４おける投射型表示装置の機能ブロック図
【図１３】実施例４おける投射型表示装置の機能ブロック図
【図１４】実施例４における投射型表示装置のシフトガイドを表示するまでのフローチャート
【図１５】実施例４における投射型表示装置のシフトガイドを表示するまでのフローチャート
【発明を実施するための形態】
【０００９】
以下に、本発明の好ましい実施の形態を、添付の図面に基づいて詳細に説明する。
【００１０】
図１は、本発明の実施形態にかかわる投射型表示装置の構成例を示すブロック図である。
【００１１】
［実施例１］
以下図１を参照して、本発明の第１の実施例による投射型表示装置の構成を示す機能ブロックについて説明する。
【００１２】
１０１は投射型表示装置本体であり、図示しないが投射レンズ１０２を交換可能な交換機構を備える。
【００１３】
１０３は映像入力部であり、外部機器からの映像信号が入力される。
【００１４】
１０４は映像合成部であり、映像信号の合成処理を行なう。
【００１５】
１０５は映像表示部であり、映像信号の表示を行なう。
【００１６】
１１０はシフト量計算部であり、ユーザー操作によってシフトした投射レンズ１０２のシフト量を算出する。
【００１７】
１１１はシフト可動範囲計算部であり、ユーザー操作によって上下左右にシフトが可能な範囲を算出する。
【００１８】
１１２はシフトガイド作成部であり、投射位置のシフト状態を模式化して示すシフトガイドを作成する。
【００１９】
本実施例におけるシフト量計算部１１０、シフト可動範囲計算部１１１、シフトガイド作成部１１２、映像合成部１０４は、図示しないＣＰＵ、ＲＯＭ、ＲＡＭを有する１つ以上のコンピュータである。
【００２０】
本実施例における映像表示部１０５は、ＬＣＯＳパネルなどから構成される。
【００２１】
図２は本実施例に係る、シフトガイドを表示する処理フローの一例を示す。図１の構成を用いて説明する。
【００２２】
ユーザーによる投射型表示装置本体１０１に備えられたレンズシフト釦の押下やリモコンのレンズシフト釦の押下、通信等によるレンズシフトコマンドの送信などによりレンズシフトのトリガーが発行されると、一連の処理が実行される。
【００２３】
ステップＳ１００はレンズシフトの可動範囲を取得するステップである。シフト可動範囲は、シフト可動範囲計算部１１１よりシフト可動範囲を取得する。取得したシフト可動範囲は、シフト可動範囲情報bとしてシフトガイド作成部１１２へ通知される。
【００２４】
ステップＳ１０１はレンズシフト操作によるシフト量を算出する。シフト量は図示しないエンコーダなどから取得した値を用いてシフト量計算部１１０により算出され、シフトガイド作成部１１２へシフト情報aとして通知される。
【００２５】
ステップＳ１０２はシフトガイドを作成するステップであり、Ｓ１００により取得したシフト可動範囲情報aとＳ１０１により取得したシフト情報ｂから、シフト可動範囲における現在のシフト位置を示すシフトガイドＡを作成する。
【００２６】
シフトガイドＡはメニューやガイドを表示するＯＳＤによって表現されても良い。
【００２７】
ステップＳ１０３はＳ１０２により作成した、シフトガイドＡと映像入力部１０３より入力された入力映像信号Ｂを合成し出力映像信号Ｃとするステップである。
【００２８】
入力映像信号Ｂがない場合にはシフトガイドＡのみを出力映像信号Ｃとする。
【００２９】
ステップＳ１０４はＳ１０３により合成した出力映像信号Ｃを表示するステップである。
【００３０】
ステップＳ１０５はレンズシフト操作の完了を判定するステップであり、レンズシフト操作が完了していない場合は、再びＳ１０１から処理を行なう。レンズシフト操作が完了していた場合には、上記一連の処理が終了となる。
【００３１】
［実施例２］
以下図３を参照して、本発明の第２の実施例による投射型表示装置の構成を示す機能ブロックについて説明する。なお、既述の実施例で説明した同一名の機能ブロックについて、本実施例においても同一の働きをするものについては説明は省略する。
【００３２】
本実施例における投射型表示装置１０１は、投射レンズ１０２と、映像入力部１０３、映像合成部１０４、映像表示部１０５、シフト量計算部１１０、シフト可動範囲計算部１１１、シフトガイド作成部１１２、レンズ情報記憶部１１３、パネル情報記憶部１１４から構成されている。
【００３３】
１１３はレンズ情報記憶部であり、レンズの種類を識別できるレンズ情報ｃを保持する。
【００３４】
１１４はパネル情報記憶部であり、パネルの種類を識別できるパネル情報dを保持する。
【００３５】
本実施例におけるシフト量計算部１１０、シフト可動範囲計算部１１１、シフトガイド作成部１１２、映像合成部１０４は、図示しないＣＰＵ、ＲＯＭ、ＲＡＭを有する１つ以上のコンピュータである。
【００３６】
本実施例における映像表示部１０５は、ＬＣＯＳパネルなどから構成される。
【００３７】
本実施例におけるレンズ情報記憶部１１３、パネル情報記憶部１１４は、情報を記録するＲＯＭなどの記憶媒体である。
【００３８】
図４は本実施例に係る、シフトガイドを表示する処理フローの一例を示す。図３の構成を用いて説明する。
【００３９】
ユーザーによる投射型表示装置本体１０１に備えられたレンズシフト釦の押下やリモコンのレンズシフト釦の押下、通信等によるレンズシフトコマンドの送信などによりレンズシフトのトリガーが発行されると、一連の処理が実行される。
【００４０】
ステップＳ２００はレンズ情報を取得するステップである。投射レンズ１０２に備えられたレンズ情報記憶部１１３からレンズ情報ｃを取得する。
【００４１】
ステップＳ２０１はパネル情報を取得するステップである。図示しない投射型表示装置本体１０１に備えられたパネルの情報を記憶するパネル情報記憶部１１４からパネル情報ｄを取得する。
【００４２】
ステップＳ２０２はレンズシフトの可動範囲を取得するステップである。Ｓ２００、Ｓ２０１で取得したレンズ情報ｃとパネル情報ｄの組み合わせからシフト可動範囲を算出する。算出されたシフト可動範囲は、シフト可動範囲情報bとしてシフトガイド作成部１１２へ通知される。
【００４３】
ステップＳ２０３はレンズシフト操作によるシフト量を算出する。シフト量は図示しないエンコーダなどから取得した値を用いてシフト量計算部１１０により算出され、シフトガイド作成部１１２へシフト情報aとして通知される。
【００４４】
ステップＳ２０４はシフトガイドを作成するステップであり、Ｓ２０２により取得したシフト可動範囲情報ｂとＳ２０２により取得したシフト情報aから、シフト可動範囲における現在のシフト位置を示すシフトガイドＡを作成する。
【００４５】
シフトガイドＡはメニューやガイドを表示するＯＳＤによって表現されても良い。
【００４６】
ステップＳ２０５はＳ２０４により作成した、シフトガイドＡと映像入力部１０３より入力された入力映像信号Ｂを合成し出力映像信号Ｃとするステップである。
【００４７】
入力映像信号Ｂがない場合にはシフトガイドＡのみを出力映像信号Ｃとする。
【００４８】
ステップＳ２０６はＳ２０５により合成した出力映像信号Ｃを表示するステップである。
【００４９】
ステップＳ２０７はレンズシフト操作の完了を判定するステップであり、レンズシフト操作が完了していない場合は、再びＳ２０３から処理を行なう。レンズシフト操作が完了していた場合には、上記一連の処理が終了となる。
【００５０】
図５は実施形態１と実施形態２に係るシフトガイドＡを説明するための図である。
【００５１】
１はスクリーンを示す。
【００５２】
２は投射型表示装置１０１の出力映像の投射領域を示す。
【００５３】
シフトガイドＡはの投射レンズのシフト可動範囲４を模式化したシフトガイドＡ−１、シフトに合せて常に光軸上を移動する投射領域２の位置を示すシフトガイドＡ−２から構成される。以下、シフトガイドＡ−１、シフトガイドＡ−２と記す。
【００５４】
矢印１０００は投射領域２のシフト方向を示す。
【００５５】
投射領域２がレンズシフトにより移動する度に、レンズシフトにより移動する投射領域２の位置を示すシフトガイドＡ-２はシフト可動範囲４を模式化したシフトガイドＡ−１の範囲内で移動し、常にシフト可動範囲４における投射領域２のシフト状態を示す。
【００５６】
また、シフトガイドＡが図５に示すようなデザインとして限定されたものではなく、また図６に示すようにシフト方向の水平方向１０００と垂直方向２０００への切替えによってシフトガイドＡを切替えても良い。
【００５７】
［実施例３］
以下図７を参照して、本発明の第３の実施例による投射型表示装置の構成を示す機能ブロックについて説明する。なお、既述の実施例で説明した同一名の機能ブロックについて、本実施例においても同一の働きをするものについては説明は省略する。
【００５８】
本実施例における投射型表示装置１０１は、投射レンズ１０２と、映像入力部１０３、映像合成部１０４、映像表示部１０５、シフト量計算部１１０、シフト可動範囲計算部１１１、シフトガイド作成部１１２、レンズ情報記憶部１１３、パネル情報記憶部１１４、ガイド位置制御部１１５から構成されている。
【００５９】
１１５はガイド位置制御部である。映像信号Ｂ上にシフトガイドＡを合成する際の合成位置を指示するための合成位置情報Ｄを算出する。
【００６０】
本実施例におけるシフト量計算部１１０、シフト可動範囲計算部１１１、シフトガイド作成部１１２、ガイド位置制御部１１５、映像合成部１０４は、図示しないＣＰＵ、ＲＯＭ、ＲＡＭを有する１つ以上のコンピュータである。
【００６１】
本実施例における映像表示部は、ＬＣＯＳパネルなどから構成される。
【００６２】
本実施例におけるレンズ情報記憶部１１３、パネル情報記憶部１１４は、情報を記録するＲＯＭなどの記憶媒体である。
【００６３】
図８は本実施例に係る、シフトガイドを表示する処理フローの一例を示す。図７の構成を用いて説明する。
【００６４】
ユーザーによる投射型表示装置本体１０１に備えられたレンズシフト釦の押下やリモコンのレンズシフト釦の押下、通信等によるレンズシフトコマンドの送信などによりレンズシフトのトリガーが発行されると、一連の処理が実行される。
【００６５】
ステップＳ３００はレンズ情報を取得するステップである。投射レンズ１０２に備えられたレンズ情報記憶部１１３からレンズ情報ｃを取得する。
【００６６】
ステップＳ３０１はパネル情報を取得するステップである。図示しない投射型表示装置本体１０１に備えられたパネルの情報を記憶するパネル情報記憶部１１４からパネル情報ｄを取得する。
【００６７】
ステップＳ３０２はレンズシフトの可動範囲を取得するステップである。Ｓ３００、Ｓ３０１で取得したレンズ情報ｃとパネル情報ｄの組み合わせからシフト可動範囲を算出する。算出されたシフト可動範囲は、シフト可動範囲情報bとしてシフトガイド作成部１１２へ通知される。
【００６８】
ステップＳ３０３はレンズシフト操作によるシフト量を算出する。シフト量は図示しないエンコーダなどから取得した値を用いてシフト量計算部１１０により算出され、シフトガイド作成部１１２へシフト情報aとして通知される。
【００６９】
ステップＳ３０４はシフトガイドを作成するステップであり、Ｓ３０２により取得したシフト可動範囲情報aとＳ３０３により取得したシフト情報ｂから、シフト可動範囲における現在のシフト位置を示すシフトガイドＡを作成する。
【００７０】
シフトガイドＡはメニューやガイドを表示するＯＳＤによって表現されても良い。
【００７１】
ステップＳ３０５はＳ３０４により作成した、シフトガイドＡを、映像入力部１０３より入力された入力映像信号Ｂ上に合成するための合成位置を示す合成位置情報Ｄを、Ｓ３０３により取得したシフト情報aに基づき算出する。
【００７２】
本実施例におけるガイド位置制御部１１５はシフト情報aから、常に光軸上にありレンズシフト操作によってシフトする投射領域２上で、シフトを行なわない場合の投射領域３の相対位置を算出し、算出された相対位置上にシフトガイドＡを表示するようにシフトガイド表示位置を制御するとしても良い。
【００７３】
ステップＳ３０６はＳ３０４により作成した、シフトガイドＡと映像入力部１０３より入力された入力映像信号Ｂを、Ｓ３０５より取得した合成位置情報Ｄに基づいて合成し出力映像信号Ｃとするステップである。
【００７４】
入力映像信号Ｂがない場合にはシフトガイドＡのみを出力映像信号Ｃとする。
【００７５】
ステップＳ３０７はＳ３０６により合成した出力映像信号Ｃを表示するステップである。
【００７６】
ステップＳ３０８はレンズシフト操作の完了を判定するステップであり、レンズシフト操作が完了していない場合は、再びＳ３０３から処理を行なう。レンズシフト操作が完了していた場合には、上記一連の処理が終了となる。
【００７７】
図９は上記実施形態２のシフトガイドＡを説明するための図である。
【００７８】
シフトガイドＡはレンズシフトを行なわない場合の投射領域３の中心上に表示されるシフト可動範囲を等比サイズで模式化したシフトガイドＡ−１と、常に光軸上にある投射領域２の中心を示すシフトガイドＡ−２から構成されている。以下、それぞれシフトガイドＡ−１、シフトガイドＡ−２と記す。
【００７９】
シフトガイドＡ−１はレンズシフトを行なわない場合の投射領域３の中心位置上に表示される。ユーザーが１０００方向にレンズシフト操作を行なうと、投射領域２がスクリーン１上を１０００方向にシフトする度にガイド位置制御部１１５によって常に光軸上にある投射領域２上で、レンズシフトを行なわない場合の投射領域３の中心位置が算出され、算出されたレンズシフトを行なわない場合の投射領域３の中心位置上に表示される。
【００８０】
シフトガイドＡ−２は常に光軸上にある投射領域２の中心上から移動しないため、投射領域２に合せてスクリーン１上を移動する。
【００８１】
また図１０に示すようにシフト可動範囲を等比サイズで模式化したシフトガイドＡ−１を常に光軸上にある投射領域２の中心上で表現し、シフトガイドＡ−２をレンズシフトを行なわない場合の投射領域３の中心位置を示すとしてもよい。
【００８２】
また図１１に示すように投射レンズとパネルとの組み合わせにより、シフト可動範囲が投射領域２を越える範囲であった場合、シフトガイドＡ−１は投射領域２に対して等比サイズでシフト可動範囲を模式化した際に投射領域２を越える大きさで表現されていても良い。
【００８３】
上記実施例により、ユーザーはシフト可動範囲における現在のシフト量や、レンズシフトをしていない場合の投射領域３とレンズシフトにより常に光軸上を移動する投射領域２をの位置関係を、容易に把握することが出来る。
【００８４】
［実施例４］
以下図１２を参照して、本発明の第４の実施例による投射型表示装置の構成を示す機能ブロックについて説明する。なお、既述の実施例で説明した同一名の機能ブロックについて、本実施例においても同一の働きをするものについては説明は省略する。
【００８５】
本実施例における投射型表示装置１０１は、投射レンズ１０２と、映像入力部１０３、映像合成部１０４、映像表示部１０５、シフト量計算部１１０、シフト可動範囲計算部１１１、シフトガイド作成部１１２、レンズ情報記憶部１１３、パネル情報記憶部１１４、ガイド位置制御部１１５、シフトガイド記憶部１１６から構成されている。
【００８６】
１１６はシフトガイド記憶部１１６である。レンズ情報ｃとパネル情報ｄの組み合わせ別に変化する、シフト可動範囲を表現する最適なシフトガイドＡを作成するためのシフトガイドパターンを記憶する。
【００８７】
本実施例におけるシフト量計算部１１０、シフト可動範囲計算部１１１、シフトガイド作成部１１２、ガイド位置制御部１１５、映像合成部１０４は、図示しないＣＰＵ、ＲＯＭ、ＲＡＭを有する１つ以上のコンピュータである。
【００８８】
本実施例における映像表示部は、ＬＣＯＳパネルなどから構成される。
【００８９】
本実施例におけるレンズ情報記憶部１１３、パネル情報記憶部１１４は、シフトガイド記憶部１１６は、情報を記録するＲＯＭなどの記憶媒体である。
【００９０】
また図１３に示すようにシフトガイドパターン記憶部１１６は投射型表示装置１０１ではなく投射レンズ１０２側に備えられた構成でも良い。
【００９１】
図１４は本実施例に係る、シフトガイドを表示する処理フローの一例を示す。
【００９２】
ユーザーによる投射型表示装置本体１０１に備えられたレンズシフト釦の押下やリモコンのレンズシフト釦の押下、通信等によるレンズシフトコマンドの送信などによりレンズシフトのトリガーが発行されると、一連の処理が実行される。
【００９３】
ステップＳ４００はレンズ情報を取得するステップである。投射レンズ１０２に備えられたレンズ情報記憶部１１３からレンズ情報ｃを取得する。
【００９４】
ステップＳ４０１はパネル情報を取得するステップである。図示しない投射型表示装置本体１０１に備えられたパネルの情報を記憶するパネル情報記憶部１１４からパネル情報ｄを取得する。
【００９５】
ステップＳ４０２はレンズシフトの可動範囲を取得するステップである。Ｓ４００、Ｓ４０１で取得したレンズ情報ｃとパネル情報ｄの組み合わせからシフト可動範囲を算出する。算出されたシフト可動範囲は、シフト可動範囲情報bとしてシフトガイド作成部１１２へ通知される。
【００９６】
ステップＳ４０３はシフトガイドパターンを選択するステップである。Ｓ４００、Ｓ４０１で取得したレンズ情報ｃとパネル情報ｄの組み合わせから最適なシフトガイドパターンを選択する。
【００９７】
ステップＳ４０４はレンズシフト操作によるシフト量を算出する。シフト量は図示しないエンコーダなどから取得した値を用いてシフト量計算部１１０により算出され、シフトガイド作成部１１２へシフト情報aとして通知される。
【００９８】
ステップＳ４０５はシフトガイドを作成・更新するステップであり、Ｓ４０３により取得したガイドパターン情報eとＳ４０２により取得したシフト可動範囲情報ｂとＳ４０４により取得したシフト情報aから、シフト可動範囲における現在のシフト位置を示すシフトガイドＡを作成する。
【００９９】
シフトガイドＡはメニューやガイドを表示するＯＳＤによって表現されても良い。
【０１００】
ステップＳ４０６はＳ４０５により作成した、シフトガイドＡを、映像入力部１０３より入力された入力映像信号Ｂ上に合成するための合成位置を示す合成位置情報Ｄを、Ｓ４０４により取得したシフト情報aに基づき算出する。
【０１０１】
本実施例におけるガイド位置制御部１１５はシフト情報aから、常に光軸上にありレンズシフト操作によってシフトする投射領域２上で、レンズシフトを行なわない場合の投射領域３の相対位置を算出し、算出された相対位置上にシフトガイドＡを表示するようにシフトガイド表示位置を制御するとしても良い。
【０１０２】
ステップＳ４０７はＳ４０５により作成した、シフトガイドＡと映像入力部１０３より入力された入力映像信号Ｂを、Ｓ４０６より取得した合成位置情報Ｄに基づいて合成し出力映像信号Ｃとするステップである。
【０１０３】
入力映像信号Ｂがない場合にはシフトガイドＡのみを出力映像信号Ｃとする。
【０１０４】
ステップＳ４０８はＳ４０７により合成した出力映像信号Ｃを表示するステップである。
【０１０５】
ステップＳ４０９はレンズシフト操作の完了を判定するステップであり、レンズシフト操作が完了していない場合は、再びＳ４０４から処理を行なう。レンズシフト操作が完了していた場合には、上記一連の処理が終了となる。
【０１０６】
図１５は上記実施形態２のシフトガイドＡを説明するための図である。
【０１０７】
シフトガイドＡは、シフトガイド記憶部１１６の記憶するシフトガイドパターンを用いて、レンズ情報ｂとパネル情報ｃとの組み合わせによって、図１５のように形状を変化させて表現されてもよい。
【０１０８】
上記実施例により、投射型表示装置１０１の環境変化に対応して最適なシフトガイドＡの作成でき、ユーザーはより分かりやすくレンズシフト状態を把握することができる。
【０１０９】
以上、本発明の好ましい実施形態について説明したが、本発明はこれらの実施形態に限定されず、その要旨の範囲内で種々の変形及び変更が可能である。
【符号の説明】
【０１１０】
１０１      投射型表示装置
１０２      投射レンズ
１０３      映像入力部
１０４      映像合成部
１０５      映像表示部
１１０      シフト量計算部
１１１      シフト可動範囲計算部
１１２      シフトガイド作成部
ａ          シフト情報
ｂ          シフト可動範囲情報
Ａ          シフトガイド
Ｂ          入力映像信号
Ｃ          出力映像信号
Ｓ１００    ステップ
Ｓ１０１    ステップ
Ｓ１０２    ステップ
Ｓ１０３    ステップ
Ｓ１０４    ステップ
Ｓ１０５    ステップ
１          スクリーン
２          投射領域
３          投射領域
４          シフト可動範囲
１０００    シフト移動方向
２０００    シフト移動方向
Ａ−１      シフトガイド（ＯＳＤ）
Ａ−２      シフトガイド（ＯＳＤ）
【図１】
2013109185.tif 000003
【図２】
2013109185.tif 000004
【図３】
2013109185.tif 000005
【図４】
2013109185.tif 000006
【図５】
2013109185.tif 000007
【図６】
2013109185.tif 000008
【図７】
2013109185.tif 000009
【図８】
2013109185.tif 000010
【図９】
2013109185.tif 000011
【図１０】
2013109185.tif 000012
【図１１】
2013109185.tif 000013
【図１２】
2013109185.tif 000014
【図１３】
2013109185.tif 000015
【図１４】
2013109185.tif 000016
【図１５】
2013109185.tif 000017